(57)【要約】【課題】ＰＣ画面をテレビ装置のディスプレイに表示し、その上に、テレビ装置がチューナなどを介して取得した映像コンテンツを重ねて表示するＰｉｎＰ状態において、ＰＣ画面中におけるユーザが視認を要する領域（アクティブウインドウ表示領域など）と、映像コンテンツを表示する領域とが重ならないように制御する技術を備えたテレビ装置、ＰＣ装置、および、表示システムを提供することを課題とする。【解決手段】ＨＤＭＩを介して、ＣＥＣのベンダーコマンドにより、ＰｉｎＰ状態の映像コンテンツの表示制御に必要な情報（ＰＣ画面におけるアクティブウインドウの位置情報など）をテレビ装置に送信するＰＣ装置などを提供する。また、ＨＤＭＩを介して、ＰＣ装置より受信した前記情報を利用して映像コンテンツの表示制御を行うテレビ装置などを提供する。さらに、前記ＰＣ装置とテレビ装置とからなる表示システムなどを提供する。【選択図】          図２
2010177848.tif 000002
【特許請求の範囲】
【請求項１】
ユーザからの入力操作を受付ける入力操作受付部と、
ＰＣウインドウを複数配置可能なＰＣインターフェイス画面を構成するＰＣ側画面構成部と、
受付けた入力操作に応じて、ＰＣインターフェイス画面中で優先表示すべき領域を示す優先表示情報を生成する優先表示情報生成部と、
ＰＣインターフェイス画面と、優先表示情報とをテレビ装置に対して送信する送信部と、
を有するＰＣ装置と、
受信または再生中の映像コンテンツを出力する映像コンテンツ出力部と、
ＰＣ装置から、ＰＣインターフェイス画面と優先表示情報とを受信する受信部と、
受信したＰＣインターフェイス画面上に、優先表示情報を利用して前記映像コンテンツをテレビウインドウとして部分的に重畳配置したテレビ画面を構成するテレビ側画面構成部と、
構成されたテレビ画面を表示するディスプレイ部と、
を有するテレビ装置と、
からなる表示システム。
【請求項２】
ＰＣ装置の優先表示情報生成部は、受付けた入力操作に応じてアクティブなＰＣウインドウの配置されるＰＣインターフェイス画面中の領域を示す情報を優先表示情報として生成するアクティブ領域手段を有する請求項１に記載の表示システム。
【請求項３】
ＰＣ装置の優先表示情報生成部は、受付けた入力操作に応じて入力操作ポインタの配置されるＰＣインターフェイス画面中の領域を示す情報を優先表示情報として生成するポインタ領域手段を有する請求項１または２に記載の表示システム。
【請求項４】
テレビ装置のテレビ画面構成部は、受信した優先表示情報で示される領域にテレビウインドウが存在している場合には、テレビウインドウをその領域外に移動させる移動手段を有する請求項１から３のいずれか一に記載の表示システム。
【請求項５】
テレビ装置のテレビ画面構成部は、受信した優先表示情報で示される領域にテレビウインドウが存在している場合には、テレビウインドウを縮小する縮小手段を有する請求項１から４のいずれか一に記載の表示システム。
【請求項６】
テレビ装置のテレビ画面構成部は、受信した優先表示情報で示される領域にテレビウインドウが存在している場合には、テレビウインドウを部分的に削除する削除手段を有する請求項１から５のいずれか一に記載の表示システム。
【請求項７】
請求項１から６のいずれか一に記載のテレビ装置。
【請求項８】
請求項１から６のいずれか一に記載のＰＣ装置。
【発明の詳細な説明】
【技術分野】
【０００１】
本発明は、テレビ装置とＰＣ装置とを組み合わせて利用する表示システムに関し、より詳細には、テレビ装置のディスプレイ上に表示されたＰＣ装置のＰＣインターフェイス画面上に、テレビ装置がチューナなどを介して取得した映像コンテンツ画面を重ねて表示するＰｉｎＰ（Ｐｉｃｔｕｒｅ  ｉｎ  Ｐｉｃｔｕｒｅ）状態において、前記映像コンテンツ画面がユーザのＰＣ作業の邪魔にならないような表示手段を備えた表示システムに関する。
【背景技術】
【０００２】
ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）端子を備えたテレビ装置に、当該端子を介してＰＣ装置を接続し、ＰＣ装置から出力された映像情報やテキスト情報などをテレビ装置に入力することで、それらの情報をテレビ装置のディスプレイに表示することができる。すなわち、テレビ装置のディスプレイをＰＣ装置のディスプレイとして利用することができる。
【０００３】
前記技術を利用したテレビ装置のディスプレイ上における表示態様としては様々であるが、その一態様として、図１（Ａ）に示すように、ＰＣ装置に格納されたＯＳ（Ｏｐｅｒａｔｉｎｇ  Ｓｙｓｔｅｍ）が生成したインターフェイス画面（０１０１：以下、「ＰＣインターフェイス画面」という）を親画面として全画面表示などし、その上に、子画面としてテレビ装置が取得した映像コンテンツ（０１０２）を重ねて表示するＰｉｎＰがある。前記テレビ装置が取得する映像コンテンツ（以下、単に「映像コンテンツ」という）としては、チューナを介して取得したテレビ放送や、テレビ装置内に保存されているコンテンツまたは他の外部機器（ＤＶＤレコーダ、など）から取得した映像コンテンツなどが考えられる。
【０００４】
図１（Ａ）に示すような、ＰＣインターフェイス画面（０１０１）の上に映像コンテンツ（０１０２）を重ねて表示するＰｉｎＰ状態であっても、ＰＣインターフェイス画面（０１０１）中におけるユーザがＰＣ作業のために視認を要する領域（アクティブなウインドウ（０１０１Ａ）、アクティブなウインドウではないがＰＣ作業のために必要な情報を記載したウインドウ、など）と、映像コンテンツ（０１０２）とが重なっていなければ、前記映像コンテンツ（０１０２）がユーザのＰＣ作業の邪魔になることはない。
【０００５】
テレビ装置のディスプレイは十分に大きいものが多いので、ＰＣインターフェイス画面中（０１０１）におけるユーザが視認を要する領域（アクティブなウインドウ（０１０１Ａ）、など）と、映像コンテンツ（０１０２）を表示する領域のそれぞれの大きさをある程度確保した状態で、前記それぞれの領域が重ならないような表示を実現することが可能である。すなわち、図１（Ａ）に示すようなＰｉｎＰにより、ユーザは、一つのディスプレイ上でＰＣを利用した作業と、テレビ放送などの視聴を、それらが互いに邪魔になることなく実現することができ、非常に効率が良い。
【０００６】
しかしながら、図１（Ａ）に示すような、ＰＣインターフェイス画面（０１０１）の上に映像コンテンツ（０１０２）を重ねて表示するＰｉｎＰ状態においては、以下のような問題がある。
【０００７】
ＰＣインターフェイス画面（０１０１）中におけるユーザが視認を要する領域（アクティブなウインドウ（０１０１Ａ）、など）の大きさや表示位置は固定されたものでない。例えば、複数のウインドウを立ち上げ、それらの中から作業するウインドウを交互に選択しながら作業を行う場合、各ウインドウの大きさや表示位置が異なれば、選択されたウインドウに応じて、アクティブなウインドウの大きさや表示位置は変更する。また、ＰＣ作業中に、アクティブなウインドウではないがＰＣ作業のために必要な情報を記載した複数のウインドウを交互に閲覧しながら作業を行う場合、ユーザの作業の進行具合に応じて、ＰＣインターフェイス画面中における視認を要する領域は変更する。さらに、アクティブなウインドウの大きさや表示位置を自由に変更することもできる。
【０００８】
かかる場合、ＰＣインターフェイス画面（０１０１）中におけるユーザが視認を要する領域（アクティブなウインドウ（０１０１Ａ）、など）と、映像コンテンツ（０１０２）が重ならないように表示するためには、ＰＣインターフェイス画面（０１０１）中における視認を要する領域（アクティブなウインドウ（０１０１Ａ）、など）の表示位置、大きさが変更する度に、映像コンテンツ（０１０２）の表示位置、大きさなどを変更する必要がある。例えば、図１（Ａ）の状態において、ユーザ操作に応じ、アクティブなウインドウが０１０１Ａで示されるウインドウから０１０１Ｂで示されるウインドウに変わった場合、映像コンテンツ（０１０２）は０１０１Ｂで示されるウインドウに上に表示されているので、ユーザのＰＣ作業の邪魔になってしまう。そこで、図１（Ｂ）に示すように、映像コンテンツ（０１０２）を、アクティブなウインドウ（０１０１Ｂ）上に表示しないよう、移動する必要がある。
【０００９】
従来、映像コンテンツ（０１０２）の表示位置の変更などは、テレビ装置の操作（リモコン装置を利用しての操作、など）により行う必要があったが、ＰＣ装置を利用して作業中のユーザが、ＰＣインターフェイス画面（０１０１）中における視認を要する領域（アクティブなウインドウ（０１０１Ａ、Ｂ）、など）の大きさ、表示位置が変更する度に、テレビ装置を操作して映像コンテンツの表示位置、大きさなどを変更するのは非常に面倒であり、ＰＣ装置を利用して行っている作業の効率を落としてしまう。
【００１０】
そこで、テレビ装置を操作することなく、ＰＣ装置のインターフェイス画面（０１０１）中における視認を要する領域（アクティブなウインドウ（０１０１Ａ、Ｂ）、など）と映像コンテンツ（０１０２）とが重ならない表示を確保できる表示技術が望まれる。
【００１１】
ここで、前記表示技術を実現した発明として、特許文献１に、複数の異なる映像を親画面及び子画面として表示可能な表示制御装置であって、前記親画面に含まれる位置情報を有するオブジェクトと前記子画面との重なりを検出する検出手段と、検出結果に応じて前記子画面の表示形態を制御する制御手段を備える表示制御装置が記載されている。
【００１２】
しかしながら、特許文献１には、光ディスク（ＤＶＤ−ＶＩＤＥＯ）から読み出した映像データを親画面として表示し、その表示内に含まれるオブジェクトの位置情報を取得して、子画面と重ならないように制御する手段を備えた表示制御装置のみ記載されている。すなわち、ＰＣ装置のインターフェイス画面を親画面として表示し、ＰＣインターフェイス画面内に含まれるオブジェクト（ウインドウなど）の位置情報を取得する手段を備えた表示制御装置については全く記載されていない。
【００１３】
また、ＰＣ装置のインターフェイス画面を親画面とする場合、親画面中で複数のオブジェクト（ウインドウなど）が表示される可能性が高いが、かかる場合に特許文献１に記載の表示制御装置のように、すべてのオブジェクト（ウインドウなど）と重ならないように子画面の表示を制御すると、子画面が非常に小さくなってしまい、視認性を損なってしまう。かかる不都合を回避する手段について、特許文献１に記載の表示制御装置には全く記載されていない。
【００１４】
さらに、テレビ装置とＰＣ装置とを組み合わせて利用する表示システムにおいて、テレビ装置側の機能により表示されたテレビ放送などを表示する子画面の位置、大きさなどを変更するためには、テレビ装置を操作する必要があり、ＰＣ装置側の操作によっては行えなかったことによる作業効率の悪さを解消する手段については記載されていない。すなわち、ＰＣ装置側の操作により、テレビ装置側の機能により表示された映像コンテンツ（テレビ放送などを）の表示位置、大きさなどを変更する手段については全く記載されていない。
【先行技術文献】
【特許文献】
【００１５】
【特許文献１】特開２００７−８８６９４
【発明の概要】
【発明が解決しようとする課題】
【００１６】
そこで、本発明では、ＰＣインターフェイス画面をテレビ装置のディスプレイに表示し、その上に、テレビ装置がチューナを介して取得したテレビ放送や、外部機器から取得したコンテンツなどの映像コンテンツを重ねて表示するＰｉｎＰ状態において、ＰＣ装置のインターフェイス画面中におけるユーザが視認を要する領域（アクティブなウインドウ、など）と、映像コンテンツが重ならないように制御する表示技術を備えたテレビ装置、ＰＣ装置、および、テレビ装置とＰＣ装置とからなる表示システムを提供することを課題とする。
【００１７】
また、テレビ装置とＰＣ装置とを組み合わせて利用する表示システムにおいて、ＰＣ装置側の操作により、テレビ装置側の機能により表示された映像コンテンツの表示位置、大きさなどを変更する手段を備えたテレビ装置、ＰＣ装置、および、テレビ装置とＰＣ装置とからなる表示システムを提供することを課題とする。
【課題を解決するための手段】
【００１８】
上記課題を解決するための手段として、以下のような発明などを提供する。
【００１９】
ＨＤＭＩを介して、ＣＥＣ（Ｃｏｎｓｕｍｅｒ  Ｅｌｅｃｔｒｏｎｉｃｓ  Ｃｏｎｔｒｏｌ）のベンダーコマンドにより、ＰｉｎＰ状態の映像コンテンツの表示制御（表示位置、大きさ、形状、などの制御）に必要な情報（ＰＣインターフェイス画面におけるアクティブなウインドウの位置情報、ＰＣインターフェイス画面における入力操作ポインタの位置情報、など）をテレビ装置に送信するＰＣ装置などを提供する。
【００２０】
また、ＨＤＭＩを介して、ＰＣ装置より、ＰｉｎＰ状態の映像コンテンツの表示制御（表示位置、大きさ、形状、などの制御）に必要な情報（ＰＣインターフェイス画面におけるアクティブなウインドウの位置情報、ＰＣインターフェイス画面における入力操作ポインタの位置情報、など）を受信し、受信した前記情報を利用してＰｉｎＰ状態の映像コンテンツの表示の制御を行うテレビ装置などを提供する。
【００２１】
さらに、前記ＰＣ装置とテレビ装置とからなる表示システムなどを提供する。
【００２２】
具体的には、以下のような発明を提供する。
【００２３】
第一発明では、ユーザからの入力操作を受付ける入力操作受付部と、ＰＣウインドウを複数配置可能なＰＣインターフェイス画面を構成するＰＣ側画面構成部と、受付けた入力操作に応じて、ＰＣインターフェイス画面中で優先表示すべき領域を示す優先表示情報を生成する優先表示情報生成部と、ＰＣインターフェイス画面と、優先表示情報とをテレビ装置に対して送信する送信部と、を有するＰＣ装置と、受信または再生中の映像コンテンツを出力する映像コンテンツ出力部と、ＰＣ装置から、ＰＣインターフェイス画面と優先表示情報とを受信する受信部と、受信したＰＣインターフェイス画面上に、優先表示情報を利用して前記映像コンテンツをテレビウインドウとして部分的に重畳配置したテレビ画面を構成するテレビ側画面構成部と、構成されたテレビ画面を表示するディスプレイ部と、
を有するテレビ装置と、からなる表示システムを提供する。
【００２４】
第二発明では、第一発明を基本とし、さらに、ＰＣ装置の優先表示情報生成部は、受付けた入力操作に応じてアクティブなＰＣウインドウの配置されるＰＣインターフェイス画面中の領域を示す情報を優先表示情報として生成するアクティブ領域手段を有する表示システムを提供する。
【００２５】
第三発明では、第一発明または第二発明を基本とし、さらに、ＰＣ装置の優先表示情報生成部は、受付けた入力操作に応じて入力操作ポインタの配置されるＰＣインターフェイス画面中の領域を示す情報を優先表示情報として生成するポインタ領域手段を有する表示システムを提供する。
【００２６】
第四発明では、第一発明から第三発明のいずれか一を基本とし、さらに、テレビ装置のテレビ画面構成部は、受信した優先表示情報で示される領域にテレビウインドウが存在している場合には、テレビウインドウをその領域外に移動させる移動手段を有する表示システムを提供する。
【００２７】
第五発明では、第一発明から第四発明のいずれか一を基本とし、さらに、テレビ装置のテレビ画面構成部は、受信した優先表示情報で示される領域にテレビウインドウが存在している場合には、テレビウインドウを縮小する縮小手段を有する表示システムを提供する。
【００２８】
第六発明では、第一発明から第五発明のいずれか一を基本とし、さらに、テレビ装置のテレビ画面構成部は、受信した優先表示情報で示される領域にテレビウインドウが存在している場合には、テレビウインドウを部分的に削除する削除手段を有する表示システムを提供する。
【００２９】
第七発明では、第一発明から第六発明のいずれか一に記載のテレビ装置を提供する。
【００３０】
第八発明では、第一発明から第六発明のいずれか一に記載のＰＣ装置を提供する。
【発明の効果】
【００３１】
本発明のテレビ装置、ＰＣ装置、および、テレビ装置とＰＣ装置とからなる表示システムにより、ＰＣインターフェイス画面をテレビ装置のディスプレイに表示し、その上に、テレビ装置がチューナを介して取得したテレビ放送や、外部機器から取得したコンテンツなどの映像コンテンツを重ねて表示するＰｉｎＰ状態において、ＰＣ装置のインターフェイス画面中におけるユーザが視認を要する領域（アクティブなウインドウ、アクティブなウインドウではないがＰＣ作業のために必要な情報を記載したウインドウ、など）と、映像コンテンツとが重ならないような表示態様を、自動的に、または、ＰＣ装置側の操作により、実現することができる。
【００３２】
その結果、ユーザは、ＰＣ装置を操作中に、テレビ装置を操作して映像コンテンツの表示位置、大きさなどを変更するという面倒な操作を行う必要がなくなり、ＰＣ装置を利用して行っている作業の効率が落ちる不都合を回避できる。
【００３３】
なお、本発明は、ＰＣ装置からテレビ装置に映像情報などを送信するためにすでに接続されているＨＤＭＩによるコマンドを用いて、本発明を実現する上で必須の優先表示情報を送信するため、前記情報を送信するために新たな配線を接続するなどの余計なことをする必要がなく、非常にユーザフレンドリーである。
【図面の簡単な説明】
【００３４】
【図１】実施形態１の表示システムの効果を説明する概念図
【図２】実施形態１の表示システムの機能ブロック図
【図３Ａ】ＰＣインターフェイス画面中で優先表示すべき領域の一例を示す図１
【図３Ｂ】ＰＣインターフェイス画面中で優先表示すべき領域の一例を示す図２
【図３Ｃ】ＰＣインターフェイス画面中で優先表示すべき領域の一例を示す図３
【図４Ａ】ＰＣインターフェイス画面とテレビウインドウのＰｉｎＰ状態の一例１
【図４Ｂ】ＰＣインターフェイス画面とテレビウインドウのＰｉｎＰ状態の一例２
【図５】実施形態１のＰＣ装置のハードウェア構成の一例を示した概念図
【図６】実施形態１のテレビ装置のハードウェア構成の一例を示した概念図
【図７】実施形態１の表示システムの処理の流れを示すフローチャート図
【図８】実施形態２の表示システムの効果を説明する概念図
【図９】実施形態２の表示システムの機能ブロック図
【図１０】実施形態２の表示システムの処理の流れを示すフローチャート図
【図１１】実施形態３の表示システムの効果を説明する概念図
【図１２】実施形態３の表示システムの機能ブロック図
【図１３】実施形態３の表示システムの処理の流れを示すフローチャート図
【図１４】実施形態４の表示システムの効果を説明する概念図
【図１５】実施形態４の表示システムの機能ブロック図
【図１６Ａ】ＰＣウインドウ密度の概念を説明するための図１
【図１６Ｂ】ＰＣウインドウ密度の概念を説明するための図２
【図１６Ｃ】ＰＣウインドウ密度の概念を説明するための図３
【発明を実施するための形態】
【００３５】
以下に、本発明の実施例を説明する。実施例と請求項の相互の関係は、以下のとおりである。実施形態１は主に請求項１、２、４、７、８などに関し、実施形態２は主に請求項５、７、８などに関し、実施形態３は主に請求項６、７、８などに関し、実施形態４は主に請求項３、７、８などに関する。なお、本発明はこれら実施例に何ら限定されるものではなく、その要旨を逸脱しない範囲内において、様々な態様で実施しうる。
<<実施形態１>>
<実施形態１の概要>
【００３６】
本実施形態のテレビ装置とＰＣ装置とからなる表示システムは、図１（Ａ）（Ｂ）に示すように、テレビ装置のディスプレイ上に、ＰＣインターフェイス画面（０１０１）を表示し（図の場合、「全画面表示」）、その上に、テレビ装置がチューナを介して取得したテレビ放送や、テレビ装置内に保存されているコンテンツまたは他の外部機器（ＤＶＤレコーダ、など）から取得したコンテンツなどの映像コンテンツ（０１０２）を表示するＰｉｎＰができるよう構成される。
【００３７】
また、本実施形態のＰＣ装置は、ＰＣインターフェイス画面（０１０１）を映像コンテンツ（０１０２）に対して優先表示すべき領域を示す情報（図の場合、アクティブなウインドウ（０１０１Ａ）を表示している領域）をテレビ装置に対して送信する。
【００３８】
そして、本実施形態のテレビ装置は、ＰＣ装置から受信した前記情報を利用して、映像コンテンツ（０１０２）の表示を制御する。前記制御の一例として、本実施形態のテレビ装置は、ＰＣインターフェイス画面（０１０１）を優先表示すべき領域内に映像コンテンツ（０１０２）を表示しないよう、映像コンテンツ（０１０２）の表示位置を変更する。
【００３９】
ここで、前記構成により実現される処理の流れの一例としては、例えば、図１（Ａ）に示すようにＰＣインターフェイス画面（０１０１）と映像コンテンツ（０１０２）とをＰｉｎＰしている状態において、ユーザ操作に基づき、ＰＣインターフェイス画面（０１０１）におけるアクティブなウインドウが変更すると（０１０１Ａから０１０１Ｂに変更）、図１（Ｂ）に示すように、テレビ装置は自動的に、ＰＣ装置のインターフェイス画面（０１０１）を優先表示すべき領域（図の場合、アクティブなウインドウ（０１０１Ｂ）を表示している領域）に映像コンテンツ（０１０２）を表示しないよう、映像コンテンツ（０１０２）を表示する位置を変更する。
<実施形態１の機能的構成>
【００４０】
本実施形態の表示システムの機能ブロックの一例を図２に示す。図２に示すように、本実施形態の「表示システム」（０２００）は、「ＰＣ装置」（０２Ａ００）と「テレビ装置」（０２Ｂ００）とからなる。
【００４１】
そして、「ＰＣ装置」（０２Ａ００）は、「入力操作受付部」（０２Ａ０１）と、「ＰＣ側画面構成部」（０２Ａ０２）と、「優先表示情報生成部」（０２Ａ０３）と、「送信部」（０２Ａ０４）とを有する。なお、「優先表示情報生成部」（０２Ａ０３）は「アクティブ領域手段」を有してもよい。
【００４２】
また、「テレビ装置」（０２Ｂ００）は、「映像コンテンツ出力部」（０２Ｂ０１）と、「受信部」（０２Ｂ０２）と、「テレビ側画面構成部」（０２Ｂ０３）と、「ディスプレイ部」（０２Ｂ０４）とを有する。なお、「テレビ側画面構成部」（０２Ｂ０３）は「移動手段」を有してもよい。
【００４３】
ここで、本装置の機能ブロックは、ハードウェア、ソフトウェア、またはハードウェアおよびソフトウェアの両方として実現され得る。具体的には、コンピュータを利用するものであれば、ＣＰＵやＲＡＭ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェイスなどが挙げられる。
【００４４】
また、これらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、および同製品を記憶媒体に固定した記憶媒体も、当然にこの発明の技術的な範囲に含まれる（本明細書の全体を通じて同様である）。
【００４５】
以下、本実施形態の「表示システム」（０２００）の、「ＰＣ装置」（０２Ａ００）および「テレビ装置」（０２Ｂ００）の機能的構成について詳細に説明する。
<<ＰＣ装置（０２Ａ００）>>
【００４６】
本実施形態の「ＰＣ装置」（０２Ａ００）は、「入力操作受付部」（０２Ａ０１）と、「ＰＣ側画面構成部」（０２Ａ０２）と、「優先表示情報生成部」（０２Ａ０３）と、「送信部」（０２Ａ０４）とを有する。
【００４７】
「入力操作受付部」（０２Ａ０１）は、ユーザからの操作を受付けるよう構成されている。具体的には、入力操作受付部（０２Ａ０１）は、キーボードやマウスなどにより実現され、例えば、ＰＣ装置（０２Ａ００）内に格納されているＯＳ（Ｏｐｅｒａｔｉｎｇ  Ｓｙｓｔｅｍ）によりディスプレイに表示されている「他のプログラム（数値計算プログラム、文書作成プログラム、など）を起動するためのアイコン」を起動する入力操作（ダブルクリックなど）を受付けたり、前記他のプログラム（数値計算プログラム、文書作成プログラム、など）のインターフェイスを表示するためにディスプレイに表示されたＰＣウインドウの大きさ、表示位置、形状を変更する入力操作を受付けたり、複数立ち上げたＰＣウインドウの中から、作業するためにアクティブな状態にする一つのＰＣウインドウを選択する入力操作を受付けたり、ディスプレイ上に矢印などとして表示された入力操作ポインタの位置を変更する入力操作を受付けたりする。
【００４８】
「ＰＣ側画面構成部」（０２Ａ０２）は、ＰＣウインドウを複数配置可能なＰＣインターフェイス画面を構成する。ここで、「ＰＣインターフェイス画面」とは、ＰＣ装置（０２Ａ００）内に格納されているＯＳ（Ｏｐｅｒａｔｉｎｇ  Ｓｙｓｔｅｍ）により生成されるインターフェイス画面であって、例えば、「壁紙」、「他のプログラムを起動するためのアイコン」、「スタートボタンなどを備えたツールバー」などを表示したインターフェイス画面や、前記インターフェイス画面の上に、ＰＣ装置（０２Ａ００）内に格納された他のプログラム（数値計算プログラム、文書作成プログラム、など）のインターフェイスを表示するためのＰＣウインドウを重ねて表示したインターフェイス画面などが該当する。
【００４９】
なお、前記ＰＣインターフェイス画面には、ＰＣウインドウを複数配置することができるよう構成される。「ＰＣウインドウ」とは、ＰＣ装置（０２Ａ００）内に格納されているプログラム、例えば、数値計算プログラム、文書作成プログラム、ＷｅｂブラウザなどのインターフェイスをＰＣインターフェイス画面上に表示するための小画面であり、表示位置、大きさ、形状などは、ユーザ操作に応じて自由に変更可能に構成されていてもよい。なお、「複数配置可能」とは、前記インターフェイス画面上において、複数のウインドウを重ならないように表示する配置や、複数のウインドウを重ねて表示する配置や、前記を組み合わせた配置などを含む概念である。また、その数については任意の設計事項である。
【００５０】
ここで、ＰＣ側画面構成部（０２Ａ０２）による画面構成処理の具体例としては、例えば、ＰＣ側画面構成部（０２Ａ０２）は、ユーザ操作に応じてＰＣ装置（０２Ａ００）が起動されると、あらかじめ定められた設定に従い、「壁紙」、「他のプログラムを起動するためのアイコン」、「スタートボタンなどを備えたツールバー」などを表示したＰＣインターフェイス画面を構成する。また、前記ＰＣインターフェイス画面から、他のプログラムを起動する入力操作を受付けると、起動したプログラムのインターフェイスを表示するためのＰＣウインドウを、あらかじめ定められた設定に従い、所定の大きさ及び形状で、ＰＣインターフェイス画面中における所定の位置に配置したＰＣインターフェイス画面を構成する。また、前記ＰＣインターフェイス画面から、前記ＰＣウインドウの表示位置、または、大きさ、または、形状を変更する入力操作を受付けると、前記入力に従い、ＰＣウインドウの表示形態を変更したＰＣインターフェイス画面を構成する。また、前記ＰＣインターフェイス画面から、他のプログラムを起動する入力操作を受付けると、あらかじめ定められた設定に従い、複数のＰＣウインドウを重ねて配置したり、重ならないように配置したＰＣインターフェイス画面を構成する。
【００５１】
「優先表示情報生成部」（０２Ａ０３）は、受付けた入力操作に応じて、前記ＰＣインターフェイス画面中で優先表示すべき領域を示す優先表示情報を生成するよう構成されている。
【００５２】
ここで、本実施形態の表示システムにおいては、図１（Ａ）に示すように、前記ＰＣ側画面構成部（０２Ａ０２）が構成した「ＰＣインターフェイス画面（０１０１）」の上に、以下で説明するテレビ装置（０２Ｂ００）が取得した「映像コンテンツ（０１０２）」を重ねて表示する表示態様（ＰｉｎＰ）を想定している（具体的な表示態様については、以下の「テレビ画面構成部」で説明する）。かかる表示態様の場合、「ＰＣインターフェイス画面（０１０１）」と「映像コンテンツ（０１０２）」とが重なる領域においては、「映像コンテンツ（０１０２）」が表示され、「ＰＣインターフェイス画面（０１０１）」は表示されない。すなわち、「ＰＣインターフェイス画面（０１０１）」における前記領域の内容はディスプレイ上に表示されず、ユーザは視認できない。「ＰＣインターフェイス画面中で優先表示すべき領域」とは、ＰＣインターフェイス画面中（０１０１）で映像コンテンツ（０１０２）に対して優先表示すべき領域のことであり、換言すれば、ＰＣインターフェイス画面（０１０１）の中で、ユーザが視認を要する領域のことである。
【００５３】
なお、「優先表示情報」の表現手法としては任意の設計事項であるが、例えば、ＰＣインターフェイス画面（０１０１）中における左上の点の座標を（０、０）として、座標値により優先表示すべき領域の位置、大きさ、形状などを表現してもよい。
【００５４】
ここで、優先表示情報生成部（０２Ａ０３）が生成する優先表示情報の具体例としては、例えば、図３（Ａ）に示すように、ＰＣインターフェイス画面中における、「スタートボタンなどを備えたツールバー」を表示している領域（図中、斜線領域）を示す情報であってもよい。または、図３（Ｂ）に示すように、ＰＣインターフェイス画面中における、「壁紙」の上に表示された「他のプログラムを起動するためのアイコン」を表示している領域（図中、斜線領域）を示す情報であってもよい。または、図３（Ｃ）に示すように、ＰＣインターフェイス画面中において他のウインドウに隠れることなくすべての領域が表示されている一以上のＰＣウインドウの表示領域（図中、斜線領域）を示す情報であってもよい。または、ＰＣインターフェイス画面中において所定の割合以上（例：９割以上）の領域が、他のＰＣウインドウに隠れることなく表示されている一以上のＰＣウインドウの表示領域を示す情報であってもよい。さらには、優先表示情報生成部（０２Ａ０３）は、「アクティブ領域手段」を備え、前記以外の領域を示す優先表示情報を生成してもよい。「アクティブ領域手段」の詳細については、以下で説明する。
【００５５】
なお、優先表示情報生成部（０２Ａ０３）は、図３（Ａ）、（Ｂ）、（Ｃ）のそれぞれで示した優先表示すべき領域のすべての領域を示す情報を優先表示情報として生成してもよいし、それらの一以上を組み合わせた領域を示す情報を優先表示情報として生成してもよい。または、その他の領域（「アクティブなＰＣウインドウの配置されるＰＣインターフェイス画面中の領域」、「入力操作ポインタの配置されるＰＣインターフェイス画面中の領域」など）を組み合わせた領域を示す情報を優先表示情報として生成してもよい。
【００５６】
ここで、優先表示情報生成部（０２Ａ０３）は、「ユーザから受付けた入力操作に応じて」、優先表示情報を生成するよう構成されている。すなわち、優先表示情報生成部（０２Ａ０３）は、ユーザから受付けた入力操作に応じてＰＣインターフェイス画面中で優先表示すべき領域が変化すると、前記変化に応じて、新たな優先表示情報を生成するよう構成される。なお、優先表示情報を生成するタイミングとしては、ユーザから受付けた入力操作に応じて、ＰＣインターフェイス画面中で優先表示すべき領域が変化したのをトリガに行ってもよいし、または、常時行ってもよい。常時行う場合には、当然に、ユーザから受付けた入力操作に応じた優先表示情報の生成を実現することができる。
【００５７】
「アクティブ領域手段」は、受付けた入力操作に応じて、アクティブなＰＣウインドウの配置されるＰＣインターフェイス画面中の領域を示す情報を優先表示情報として生成するよう構成される。「アクティブなＰＣウインドウ」とは、数値や文字入力、選択入力などのユーザ操作が可能な状態のウインドウであり、ＰＣインターフェイス画面中に複数のＰＣウインドウが配置されている場合には、最も前面に配置される。すなわち、アクティブなＰＣウインドウは、その時点でユーザが作業中のＰＣウインドウであり、ユーザが視認を要するＰＣウインドウである。かかる前提のもと、アクティブ領域手段は、アクティブなＰＣウインドウの配置されるＰＣインターフェイス画面中の領域を示す情報を優先表示情報として生成する。
【００５８】
ここで、「アクティブ領域手段」は、「ユーザから受付けた入力操作に応じて」、優先表示情報を生成するよう構成されている。ここでの「ユーザから受付けた入力操作」は、例えば、任意のプログラムを起動させ、一つのＰＣウインドウをアクティブなＰＣウインドウとして立ち上げる操作や、または、複数のＰＣウインドウを立ち上げている状態の中でアクティブなＰＣウインドウを他のＰＣウインドウに変更する操作や、または、アクティブなＰＣウインドウの表示位置、大きさ、形状、などを変更する操作などが考えられる。
【００５９】
アクティブ領域手段は、ユーザから受付けた前記のような入力操作に応じて、ＰＣインターフェイス画面中におけるアクティブなＰＣウインドウを配置する領域が変化すると、前記変化に応じて、新たな優先表示情報を生成するよう構成される。なお、アクティブ領域手段が優先表示情報を生成するタイミングとしては、ユーザから受付けた入力操作に応じて、アクティブなＰＣウインドウを配置する領域が変化したのをトリガに行ってもよいし、または、常時行ってもよい。常時行う場合には、当然に、ユーザから受付けた入力操作に応じた優先表示情報の生成を実現することができる。
【００６０】
「送信部」（０２Ａ０４）は、ＰＣインターフェイス画面と優先表示情報とをテレビ装置（０２Ｂ００）に対して送信するよう構成される。送信を実現する具体的手段としては、例えば、ＰＣ装置（０２Ａ００）とテレビ装置（０２Ｂ００）の両方にＨＤＭＩ端子を設け、前記端子を介してそれらを接続することで実現してもよい。かかる場合、「ＰＣインターフェイス画面」は、ＨＤＭＩ規格に従って生成された画像情報で送信することが可能である。一方、「優先表示情報」は、ＨＤＭＩ規格のＣＥＣのベンダーコマンドとして生成された情報として送信することが可能である。
<<テレビ装置（０２Ｂ００）>>
【００６１】
本実施形態のテレビ装置（０２ＢＡ００）は、「映像コンテンツ出力部」（０２Ｂ０１）と、「受信部」（０２Ｂ０２）と、「テレビ側画面構成部」（０２Ｂ０３）と、「ディスプレイ部」（０２Ｂ０４）とを有する。
【００６２】
「映像コンテンツ出力部」（０２Ｂ０１）は、受信または再生中の映像コンテンツを出力するよう構成されている。具体的には、テレビチューナを介して受信したテレビ放送波から、ディスプレイに映像コンテンツを表示するための映像信号を取得し、デコード処理などの所定の処理を施した後、以下で説明するテレビ側画面構成部（０２Ｂ０３）に出力する。なお、受信する放送波としては特段制限されず、デジタル放送波（地上デジタル放送波、ＣＳ放送波、ＢＳ放送波、など）でもよいし、アナログ放送波（地上アナログ放送波、など）でもよい。または、テレビ装置（０２Ｂ００）と接続した外部機器（「ＤＶＤレコーダ」など）から映像コンテンツの映像信号を取得し、デコード処理などの所定の処理を施した後、以下で説明するテレビ側画面構成部（０２Ｂ０３）に出力してもよい。さらには、テレビ装置（０２Ｂ００）の内部メモリに格納された映像コンテンツの映像信号を取り出し、デコード処理などの所定の処理を施した後、以下で説明するテレビ側画面構成部（０２Ｂ０３）に出力してもよい。
【００６３】
「受信部」（０２Ｂ０２）は、ＰＣ装置（０２Ａ００）から、ＰＣインターフェイス画面と、優先表示情報とを受信するよう構成されている。受信を実現する具体的手段としては、例えば、ＰＣ装置（０２Ａ００）とテレビ装置（０２Ｂ００）の両方にＨＤＭＩ端子を設け、前記端子を介してそれらを接続することで実現してもよい。かかる場合、「ＰＣインターフェイス画面」は、ＨＤＭＩ規格に従って生成された画像情報で受信することが可能である。一方、「優先表示情報」は、ＨＤＭＩ規格のＣＥＣのベンダーコマンドとして生成された情報として受信することが可能である。
【００６４】
なお、「ＰＣインターフェイス画面」と、「優先表示情報」については、前記説明と同じ概念であるので、ここでの詳細な説明は省略する。
【００６５】
「テレビ側画面構成部」（０２Ｂ０３）は、受信したＰＣインターフェイス画面上に、優先表示情報を利用して、前記映像コンテンツ出力部（０２Ｂ０１）が出力した映像コンテンツをテレビウインドウとして部分的に重畳配置したテレビ画面を構成する。構成の具体的手法としては特段制限されず、例えば、図４（Ａ）に示すように、テレビ装置のディスプレイ上にＰＣインターフェイス画面（０４０１）を全画面表示し、その上に、映像コンテンツ（０４０２：テレビウインドウ）を部分的に重畳配置した構成でもよい。
【００６６】
また、その他の、構成の具体的手法としては、例えば、図４（Ｂ）に示すように、テレビ装置のディスプレイ上の大部分の領域を利用してＰＣインターフェイス画面（０４０１）を表示し、その上に、映像コンテンツ（０４０２：テレビウインドウ）を部分的に重畳配置した構成でもよい。
【００６７】
すなわち、「部分的に重畳配置」とは、ＰＣインターフェイス画面（０４０１）の一部に映像コンテンツ（０４０２：テレビウインドウ）の全部または一部を重畳する構成を意味する。
【００６８】
ここで、テレビ側画面構成部（０２Ｂ０３）は、図４（Ａ）、（Ｂ）に示すような、ＰＣインターフェイス画面（０４０１）上にテレビウインドウ（０４０２）を部分的に重畳配置したテレビ画面を構成するに際し、優先表示情報を利用する。具体的には、優先表示情報を利用してＰＣインターフェイス画面（０４０１）上の優先表示情報で示される領域（０４０１Ａ：以下、「ＰＣインターフェイス上優先表示領域」という）を特定すると、テレビ装置（０２Ｂ００）のディスプレイ上において前記「ＰＣインターフェイス上優先表示領域」が表示される領域（以下、「テレビディスプレイ上優先表示領域」という）を特定する。そして、テレビ装置（０２Ｂ００）のディスプレイ上において特定した「テレビディスプレイ上優先表示領域」以外に、テレビウインドウ（０４０２）を配置したテレビ画面を構成する。
【００６９】
なお、テレビ側画面構成部（０２Ｂ０３）は、前記のようにしてテレビ画面を構成した後、ユーザから受付けた入力操作に応じてＰＣインターフェイス画面中で優先表示すべき領域が変化した際に、前記変化に応じて新たなテレビ画面を構成するため「移動手段」を有してもよい。
【００７０】
「移動手段」は、受信した優先表示情報で示される領域にテレビウインドウが存在している場合には、テレビウインドウをその領域外に移動させるよう構成されている。
【００７１】
具体的には、移動手段は、受信した優先表示情報を利用して「ＰＣインターフェイス上優先表示領域」を特定すると、前記特定情報を利用して「テレビディスプレイ上優先表示領域」を特定する。そして、前記特定した「テレビディスプレイ上優先表示領域」に、テレビウインドウが存在しているか判断する。判断の結果、前記特定した「テレビディスプレイ上優先表示領域」にテレビウインドウが存在している場合には、図１（Ａ）→（Ｂ）に示す処理のように、大きさ、形状はそのままで、テレビウインドウ（０１０２）を配置する位置を前記特定した「テレビディスプレイ上優先表示領域」（０１０１Ｂ）以外に移動する。
【００７２】
なお、移動後にテレビウインドウを新たに配置する位置としては、前記特定した「テレビディスプレイ上優先表示領域」（０１０１Ｂ）以外であれば特段制限されないが、例えば、移動後のテレビウインドウの「ＰＣウインドウ密度」が最も小さくなるような位置に移動してもよい。「ＰＣウインドウ密度」とは、テレビウインドウの表示領域に表示されているＰＣウインドウの集まり具合を示す概念であり、以下のようにして算出する。まず、図１６（Ａ）の場合には、テレビウインドウ（１６０２）の表示領域全体に、１つのＰＣウインドウ（１６０１）が表示されているので、ＰＣウインドウ密度は「１×１００％（＝１００％）」となる。また、図１６（Ｂ）の場合には、テレビウインドウ（１６０２）の表示領域全体に、３つのＰＣウインドウ（１６０１）が表示されているので、ＰＣウインドウ密度は「３×１００％（＝３００％）」となる。また、図１６（Ｃ）の場合には、テレビウインドウ（１６０２）の表示領域の２５％に２つのＰＣウインドウ（１６０１）が表示され、テレビウインドウ（１６０２）の表示領域の５０％に１つのＰＣウインドウ（１６０１）が表示され、テレビウインドウの表示領域の２５％は１つのＰＣウインドウ（１６０１）も表示されていないので、ＰＣウインドウ密度は「２×２５％＋１×５０％＋０×２５％（＝１００％）」となる。なお、図１６（Ａ）〜（Ｃ）は、「ＰＣウインドウ密度」の概念を説明するための図であり、移動手段がテレビウインドウの表示位置を移動した後の様子を示すものではない。
【００７３】
移動手段は、前記のようにして「テレビディスプレイ上優先表示領域」（０１０１Ｂ）以外の領域におけるＰＣウインドウ密度を算出し、ＰＣウインドウ密度が最も小さくなるような位置にテレビウインドウを移動するようにしてもよい。なお、かかる場合には、テレビ装置（０２Ｂ００）は、「ＰＣウインドウ密度」を算出するための情報（ＰＣインターフェイス画面情報）を、ＨＤＭＩ規格のＣＥＣのベンダーコマンドとしてＰＣ装置（０２Ａ００）から取得することとなる。
【００７４】
「ディスプレイ部」（０２Ｂ０４）は、構成されたテレビ画面を表示するよう構成される。すなわち、ディスプレイ部（０２Ｂ０４）は、テレビ側画面構成部（０２Ｂ０３）が構成したテレビ画面の映像信号を取得すると、ＶＲＡＭに書き込み、ディスプレイに出力する。
<実施形態１のハードウェア構成>
【００７５】
図５は、本実施形態のＰＣ装置の上記機能的構成をハードウェアとして実現した際の構成の一例を表す図である。また、図６は、本実施形態のテレビ装置の上記機能的構成をハードウェアとして実現した際の構成の一例を表す図である。
【００７６】
以下に、図５、６のハードウェア図を用いて、本実施形態を実現する手段の一例を説明する。
<実施形態１のＰＣ装置のハードウェア構成（図５）>
【００７７】
図５に示すように、本実施形態の「ＰＣ装置」は、「入力操作受付部」、「ＰＣ側画面構成部」、「優先表示情報生成部」、「送信部」などを構成する、「ＣＰＵ」（０５０１）、「主記憶装置」（０５０２）、「プログラム記憶装置」（０５０３）、「２次記憶装置」（０５０４）、「ユーザＩ／Ｆ」（０５０５）、「ＨＤＭＩ端子」（０５０６）、「ＨＤＤ」（０５０７）、「バス」（０５０７）などを備えている。
【００７８】
主記憶装置（０５０２）は、プログラム実行中に動的にデータ書換可能な記憶装置である。主記憶装置（０５０２）はプログラム記憶装置（０５０３）に記憶されているＯＳや、ＨＤＭＩ送受信プログラムや、優先表示情報生成プログラムなどを実行するために必要なスタックやヒープ等のワーク領域を提供する。また主記憶装置（０５０２）は、ディスプレイに表示するためにＯＳの命令により生成されたＰＣインターフェイス画面やＰＣウインドウ、また、優先表示情報生成プログラムの命令により生成された優先表示情報、などを保持する。
【００７９】
２次記憶装置（０５０４）はプログラム実行中に動的にデータ書換可能な記憶装置であり、装置の電源が切れても、記憶しているデータが消去されない。２次記憶装置（０５０４）は、ＰＣインターフェイス画面を生成するために利用されるＰＣインターフェイス画面ひな形データ、などを保持する。
【００８０】
ユーザＩ／Ｆ（０５０５）はキーボードやマウスなどのデバイスと接続可能に構成される。そして、キーボードやマウスなどの操作によりユーザが入力した情報は、ユーザＩ／Ｆ（０５０５）を介してＰＣ装置に入力される。
【００８１】
ＨＤＭＩ端子（０５０６）は、ＨＤＭＩ規格に従い生成されたケーブルと接続可能に構成される。そして、ＨＤＭＩ端子（０５０６）を介して、ＨＤＭＩ規格に従い生成された情報の入出力が行われる。
【００８２】
以下、本実施形態のＰＣ装置が行う処理の一例について説明する。
【００８３】
まず、ＨＤＭＩ端子（０５０６）を介してテレビ装置と繋がった状態で、ＰＣ装置を起動する入力を受付けると、ＣＰＵ（０５０１）は、主記憶装置（０５０２）のワーク領域に展開されたＯＳのＰＣインターフェイス画面生成命令に従い、２次記憶装置（０５０４）よりＰＣインターフェイス画面ひな形データなどを取り出すと、それらをあらかじめ定められた設定に従い構成し、ＰＣインターフェイス画面として主記憶装置（０５０２）のデータ領域に格納する。
【００８４】
その後、主記憶装置（０５０２）のワーク領域に展開された優先表示情報生成プログラムに従い、前記格納したＰＣインターフェイス画面中で優先表示すべき領域を示す情報を生成すると、優先表示情報として主記憶装置（０５０２）のデータ領域に格納する。
【００８５】
その後、主記憶装置（０５０２）のワーク領域に展開されたＨＤＭＩ送受信プログラムに従い、前記格納したＰＣインターフェイス画面と優先表示情報を、ＨＤＭＩ端子（０５０６）を介して出力する。
【００８６】
出力された信号は、テレビ装置に入力され、テレビ装置のディスプレイにＰＣインターフェイス画面が表示される。当該テレビ装置の処理については、以下で説明する。
【００８７】
その後、ユーザＩ／Ｆ（０５０５）を介して、ＰＣインターフェイス画面中で優先表示すべき領域を変更する入力を受付けると（アクティブなＰＣウインドウを変更する操作入力、など）、その都度、新たな優先表示情報を生成し、主記憶装置（０５０２）のデータ領域に格納されている優先表示情報を更新する。そして、前記と同様の処理により、新たに生成した優先表示情報を、ＨＤＭＩ端子（０５０６）を介して出力する。
<実施形態１のテレビ装置のハードウェア構成（図６）>
【００８８】
図６に示すように、本実施形態の「テレビ装置」は、「映像コンテンツ出力部」、「受信部」、「テレビ側画面構成部」、「ディスプレイ部」などを構成する、「ＣＰＵ」（０６０１）、「主記憶装置」（０６０２）、「プログラム記憶装置」（０６０３）、「２次記憶装置」（０６０４）、「ＶＲＡＭ」（０６０５）、「ユーザＩ／Ｆ」（０６０６）、「ＨＤＭＩ端子」（０６０７）、「チューナ」（０６０８）、「ディスプレイ」（０６０９）、「スピーカ」（０６１０）、「バス」（０６１１）などを備えている。
【００８９】
主記憶装置（０６０２）はプログラム記憶装置（０６０３）に記憶されている放送波受信プログラムや、放送波処理プログラムや、ＨＤＭＩ送受信プログラムや、テレビ画面構成プログラムや、テレビ画面出力プログラムなどを実行するために必要なスタックやヒープ等のワーク領域を提供する。また主記憶装置（０６０２）は、放送波受信プログラムの命令に従いチューナ（０６０８）を介して受信した放送波や、放送波から分離・取得した映像信号や、ＨＤＭＩ送受信プログラムの命令に従いＨＤＭＩ端子（０６０７）を介して受信したＰＣインターフェイス画面・優先表示情報や、テレビ画面構成プログラムの命令に従い、前記映像信号・ＰＣインターフェイス画面・優先表示情報を利用して構成したテレビ画面、などを保持する。
【００９０】
２次記憶装置（０６０４）はテレビ装置がチューナを介して受信したテレビ放送の映像コンテンツと、ＨＤＭＩ端子（０６０７）を介してＰＣ装置から受信したＰＣインターフェイス画面とを重ねて表示する際の前記映像コンテンツの表示枠などに関するＰｉｎＰ表示ひな形データ、などを保持する。
【００９１】
ユーザＩ／Ｆ（０５０５）はテレビ装置に設けられた入力ボタンや、リモコン装置からの入力を受付ける赤外光受信部などにより実現される。
【００９２】
以下、本実施形態のテレビ装置が行う処理の一例について説明する。
【００９３】
まず、ＰＣ装置から受信したＰＣインターフェイス画面の上に、テレビウインドウ（チューナを介して受信したテレビ放送の映像コンテンツなどを表示する領域）を重ねて表示（ＰｉｎＰ）するよう設定されている状態で、主記憶装置（０６０２）のワーク領域に展開された放送波受信プログラムに従い、チューナ（０６０８）を介して放送波を受信すると、放送波処理プログラムに従い、前記放送波から映像信号を取り出し、デコード処理などの所定の処理を行い、主記憶装置（０６０２）のデータ領域に格納する。
【００９４】
また、ＨＤＭＩ送受信プログラムに従い、ＨＤＭＩ端子（０６０６）を介して、ＰＣ装置からＨＤＭＩ規格に従って生成された信号を受信すると、前記信号を処理し、ＰＣインターフェイス画面と優先表示情報を取り出して、主記憶装置（０６０２）のデータ領域に格納する。
【００９５】
その後、テレビ画面構成プログラムに従い、前記ＰＣインターフェイス画面の上にテレビウインドウを重ねて表示したテレビ画面を構成し、主記憶装置（０６０２）のデータ領域に格納する。なお、前記テレビ画面を構成する際には、優先表示情報を利用して、ＰＣインターフェイス画面中で優先表示すべき領域（ＰＣインターフェイス上優先表示領域）を特定し、その後、テレビ装置のディスプレイ上において前記特定したＰＣインターフェイス上優先表示領域が表示される領域（テレビディスプレイ上優先表示領域）を特定する。そして、前記テレビ装置のディスプレイ上において特定した領域（テレビディスプレイ上優先表示領域）には、テレビウインドウを配置しないようテレビ画面を構成する。その後、前記テレビ画面をＶＲＡＭ（０６０５）に書き込み、ディスプレイ（０６０９）に出力する。
【００９６】
なお、前記ＰｉｎＰ状態で、ＨＤＭＩ送受信プログラムに従い、ＨＤＭＩ端子（０６０６）を介して、新たな優先表示情報を受信すると、主記憶装置（０６０２）のデータ領域に格納する。そして、テレビ画面構成プログラムに従い、前記と同様の処理により、新たな優先表示情報を利用してＰＣインターフェイス上優先表示領域を特定し、その後、テレビディスプレイ上優先表示領域を特定すると、その時点で、前記テレビディスプレイ上優先表示領域にテレビウインドウが表示されているか判断する。そして、前記判断の結果、前記テレビディスプレイ上優先表示領域にテレビウインドウが表示されている場合には、テレビウインドウを前記テレビディスプレイ上優先表示領域以外に配置した新たなテレビ画面を構成し、主記憶装置（０６０２）のデータ領域に格納する。その後、新たに構成したテレビ画面をＶＲＡＭ（０６０５）に書き込み、ディスプレイ（０６０９）に出力する。
<実施形態１の処理の流れ>
【００９７】
本実施形態のテレビ装置が、ＰＣインターフェイスとテレビウインドウ（チューナを介して受信したテレビ放送の映像コンテンツなどを表示する領域）を重ねて表示（ＰｉｎＰ）している状態において、ユーザ操作に応じてＰＣインターフェイス画面中で優先表示すべき領域が変化した際に行う処理の流れの一例を図７のフローチャートを用いて説明する。
【００９８】
まず、テレビ装置は、ＰＣ装置から受信したＰＣインターフェイス画面の上に、テレビウインドウ（チューナを介して受信したテレビ放送の映像コンテンツなどを表示する領域）を重ねて表示するＰｉｎＰ状態である場合には（Ｓ０７０１）、ステップＳ０７０２に進む。
【００９９】
ステップＳ０７０２では、テレビ装置のディスプレイ上において、新たな優先表示情報（テレビウインドウに対してＰＣインターフェイス画面を優先表示すべき領域を示す情報）を取得するのを待つ。そして、新たな優先表示情報を取得すると、ステップＳ０７０３に進む。
【０１００】
ステップＳ０７０３では、ステップＳ０７０２で新たに取得した優先表示情報を利用して、ＰＣインターフェイス画面上で優先表示すべき領域（ＰＣインターフェイス上優先表示領域）を特定する。その後、ステップＳ０７０４では、ステップＳ０７０３で特定した「ＰＣインターフェイス上優先表示領域」をもとに、テレビ装置のディスプレイ上でＰＣインターフェイス画面を優先表示すべき領域（テレビディスプレイ上優先表示領域）を特定する。
【０１０１】
その後、ステップＳ０７０５では、ステップＳ０７０４で特定した「テレビディスプレイ上優先表示領域」に、テレビウインドウが存在しているか判断する。
【０１０２】
ステップＳ０７０５での判断の結果、テレビディスプレイ上優先表示領域にテレビウインドウが存在していない場合には、テレビ装置のディスプレイ上におけるテレビウインドウの表示位置などはそのままの状態で、ステップＳ０７０８に進む。そして、ＰｉｎＰ状態が継続されている場合には、ステップＳ０７０２に戻り、新たな優先表示情報を取得するのを待つ。以降、前記と同様の処理を繰り返す。
【０１０３】
一方、ステップＳ０７０５での判断の結果、テレビディスプレイ上優先表示領域にテレビウインドウが存在している場合には、ステップＳ０７０７に進み、テレビウインドウの表示位置を、ステップＳ０７０４で特定したテレビディスプレイ上優先表示領域以外の領域に移動し、ステップＳ０７０８に進む。そして、ＰｉｎＰ状態が継続されている場合には、ステップＳ０７０２に戻り、新たな優先表示情報を取得するのを待つ。以降、前記と同様の処理を繰り返す。
<実施形態１の効果>
【０１０４】
本実施形態のテレビ装置、ＰＣ装置、および、テレビ装置とＰＣ装置とからなる表示システムにより、ＰＣインターフェイス画面をテレビ装置のディスプレイに表示し、その上に、テレビ装置がチューナを介して取得したテレビ放送などの映像コンテンツを重ねて表示するＰｉｎＰ状態において、ＰＣ装置のインターフェイス画面中におけるユーザが視認を要する領域（アクティブなＰＣウインドウ、アクティブなＰＣウインドウではないがＰＣ作業のために必要な情報を記載したＰＣウインドウ、など）と、前記映像コンテンツとが、重ならないような表示態様を、ユーザ操作なしに実現することができる。
【０１０５】
その結果、ユーザは、ＰＣ装置を操作中に、映像コンテンツの表示位置を変更するなどという面倒な操作を行う必要がなくなり、ＰＣ装置を利用して行っている作業の効率が落ちる不都合を回避できる。
【０１０６】
なお、本実施形態の表示システムにおいては、ＰＣ装置からテレビ装置に映像情報などを送信するためにすでに接続されているＨＤＭＩによるコマンドを用いて、優先表示情報を送信するため、優先表示情報を送信するために新たな配線を接続するなどの余計なことをする必要がなく、非常にユーザフレンドリーである。
<<実施形態２>>
<実施形態２の概要>
【０１０７】
本実施形態のテレビ装置とＰＣ装置とからなる表示システムは、実施形態１の一部または全部を基本とする。そして、本実施形態のテレビ装置は、図８（Ａ）（Ｂ）に示すように、ＰＣ装置から受信した優先表示情報を利用して、テレビ放送などの映像コンテンツ（０８０２）の表示を制御する処理として、ＰＣインターフェイス画面（０８０１）を優先表示すべき領域内に映像コンテンツ（０８０２）を表示しないよう、映像コンテンツ（０８０２）の大きさを縮小する。
【０１０８】
ここで、前記構成により実現される処理の流れの一例としては、例えば、図８（Ａ）に示すようにＰＣインターフェイス画面（０８０１）と映像コンテンツ（０８０２）とをＰｉｎＰしている状態において、ユーザ操作に基づき、ＰＣインターフェイス画面（０８０１）におけるアクティブなウインドウが変更すると（０８０１Ａから０８０１Ｂに変更）、図８（Ｂ）に示すように、テレビ装置は自動的に、ＰＣ装置のインターフェイス画面（０８０１）を優先表示すべき領域（図の場合、アクティブなウインドウ（０８０１Ｂ）を表示している領域）に映像コンテンツ（０８０２）を表示しないよう、映像コンテンツ（０８０２）の大きさを縮小する。
<実施形態２の機能的構成>
【０１０９】
本実施形態の表示システムの機能ブロックの一例を図９に示す。図９に示すように、本実施形態の「表示システム」（０９００）は、「ＰＣ装置」（０９Ａ００）と「テレビ装置」（０９Ｂ００）とからなる。
【０１１０】
そして、「ＰＣ装置」（０９Ａ００）は、「入力操作受付部」（０９Ａ０１）と、「ＰＣ側画面構成部」（０９Ａ０２）と、「優先表示情報生成部」（０９Ａ０３）と、「送信部」（０９Ａ０４）とを有する。なお、「優先表示情報生成部」（０９Ａ０３）は「アクティブ領域手段」（図示せず）を有してもよい。
【０１１１】
そして、「テレビ装置」（０９Ｂ００）は、「映像コンテンツ出力部」（０９Ｂ０１）と、「受信部」（０９Ｂ０２）と、「テレビ側画面構成部」（０９Ｂ０３）と、「ディスプレイ部」（０９Ｂ０４）とを有し、さらに、「テレビ側画面構成部」（０９Ｂ０３）は「縮小手段」を有する。なお、「テレビ側画面構成部」（０９Ｂ０３）は「移動手段」（図示せず）を有してもよい。
【０１１２】
以下、本実施形態の「表示システム」（０９００）の「テレビ装置」（０９Ｂ００）の機能的構成について詳細に説明する。なお、本実施形態の「表示システム」（０９００）の「ＰＣ装置」（０９Ａ００）の機能的構成については、実施形態１と同様であるので、ここでの詳細な説明は省略する。
<<テレビ装置（０９Ｂ００）>>
【０１１３】
本実施形態のテレビ装置（０９ＢＡ００）は、「映像コンテンツ出力部」（０９Ｂ０１）と、「受信部」（０９Ｂ０２）と、「テレビ側画面構成部」（０９Ｂ０３）と、「ディスプレイ部」（０９Ｂ０４）とを有し、「テレビ側画面構成部」（０９Ｂ０３）は「縮小手段」を有する。
【０１１４】
以下、「テレビ側画面構成部」（０９Ｂ０３）の「縮小手段」の機能的構成について詳細に説明する。なお、「映像コンテンツ出力部」（０９Ｂ０１）、「受信部」（０９Ｂ０２）、「ディスプレイ部」（０９Ｂ０４）の機能的構成については、実施形態１と同様であるので、ここでの詳細な説明は省略する。
【０１１５】
「縮小手段」は、受信した優先表示情報で示される領域にテレビウインドウが存在している場合には、テレビウインドウを縮小するよう構成されている。具体的には、縮小手段は、受信した優先表示情報を利用してＰＣインターフェイス画面上の優先表示情報で示される領域（「ＰＣインターフェイス上優先表示領域」）を特定すると、テレビ装置（０９Ｂ００）のディスプレイ上において前記「ＰＣインターフェイス上優先表示領域」が表示される領域（「テレビディスプレイ上優先表示領域」）を特定する。そして、前記「テレビディスプレイ上優先表示領域」に、テレビウインドウが存在しているか判断する。そして、判断の結果、前記特定した領域にテレビウインドウが存在している場合には、図８（Ａ）→（Ｂ）に示すように、テレビディスプレイ上優先表示領域（０８０１Ｂ）にテレビウインドウ（０８０２）が表示されないようになるまで、テレビウインドウ（０８０２）を縮小する。なお、縮小後の大きさとしては前記特定したテレビディスプレイ上優先表示領域（０８０１Ｂ）に表示されないような大きさであれば特段制限されないが、前記を満たす範囲で可能な限り大きくするのが望ましい。
【０１１６】
なお、縮小手段は、テレビウインドウの縦横比を維持したまま縮小するようにしてもよいし、または、縦横比にとらわれず縮小するようにしてもよい。また、テレビウインドウの中心に向かって縮小するような手段でもよいし、テレビウインドウの右上隅、または、左上隅、または、右下隅、または、左下隅に向かって縮小するような手段であってもよい。
【０１１７】
また、縮小手段は、テレビウインドウで表示中の映像コンテンツの種別に応じて、縮小処理を行うか否かを決定してもよい。具体的には、あらかじめ、テレビウインドウで表示されるコンテンツを種別に応じてランク分けしたデータを保持しておく。「ランク分け」は、例えば、現在放送中の「放送コンテンツ」と、保存され再生処理中の「再生コンテンツ」に応じたランク分けでもよいし、または、「放送コンテンツ」を「ニュース」、「スポーツ」、「バラエティー」、「ドラマ」などの属性に応じてランク分けしてもよい。そして、縮小手段は、テレビウインドウで表示中の映像コンテンツのランクが所定のランクよりも高い場合には縮小処理を行わず、所定のランクよりも低い場合には縮小処理を行うようにしてもよい。前記表示中の映像コンテンツの種別を識別する手段としては、ＥＰＧを利用するなどすることで実現できる。
【０１１８】
さらに、テレビウインドウで放送コンテンツを表示中に縮小手段がテレビウインドウを縮小した場合で、縮小後のテレビウインドウの大きさがあらかじめ定められた所定値よりも小さくなった場合には、それをトリガに、テレビ装置（０９Ｂ００）はその放送コンテンツの録画を開始（テレビ装置に設けられた内部メモリに保存開始、など）するようにしてもよい。
【０１１９】
その他、本実施形態の「テレビ側画面構成部」（０９Ｂ０３）は、前記「縮小手段」と、実施形態１で説明した「移動手段」との両方を有し、前記２つの手段を組み合わせた処理を行ってもよいし、または、状況に応じて前記２つの手段のいずれか一を選択し、処理を行ってもよい。例えば、テレビウインドウの大きさを小さくしなくても、テレビ装置（０９Ｂ００）のディスプレイ上においてテレビウインドウを表示可能な領域（ＰＣインターフェイス画面を優先表示すべき領域以外の領域）が存在する場合には「移動手段」を利用する。そして、現状のテレビウインドウの大きさのままでは、テレビ装置（０９Ｂ００）のディスプレイ上においてテレビウインドウを表示可能な領域（ＰＣインターフェイス画面を優先表示すべき領域以外の領域）が存在しない場合には「縮小手段」を利用するようにしてもよい。
【０１２０】
また、テレビウインドウを他の位置に移動して縮小した方が、そのままの位置で縮小するよりも大きく表示できる場合には、「移動手段」と「縮小手段」の両方を利用してもよい。
<実施形態２のハードウェア構成>
【０１２１】
本実施形態のＰＣ装置およびテレビ装置の上記機能的構成をハードウェアとして実現する構成については、実施形態１に準じて実現できる。よって、ここでの詳細な説明は省略する。
<実施形態２の処理の流れ>
【０１２２】
本実施形態のテレビ装置が、ＰＣインターフェイスとテレビウインドウ（チューナを介して受信したテレビ放送の映像コンテンツなどを表示する領域）を重ねて表示（ＰｉｎＰ）している状態において、ユーザ操作に応じてＰＣインターフェイス画面中で優先表示すべき領域が変化した際に行う処理の流れの一例を図１０のフローチャートを用いて説明する。
【０１２３】
まず、テレビ装置は、ＰＣ装置から受信したＰＣインターフェイス画面の上に、テレビウインドウ（チューナを介して受信したテレビ放送の映像コンテンツなどを表示する領域）を重ねて表示するＰｉｎＰ状態である場合には（Ｓ１００１）、ステップＳ１００２に進む。
【０１２４】
ステップＳ１００２では、テレビ装置のディスプレイ上において、新たな優先表示情報（テレビウインドウに対してＰＣインターフェイス画面を優先表示すべき領域を示す情報）を取得するのを待つ。そして、新たな優先表示情報を取得すると、ステップＳ１００３に進む。
【０１２５】
ステップＳ１００３では、ステップＳ１００２で新たに取得した優先表示情報を利用して、ＰＣインターフェイス画面上で優先表示すべき領域（ＰＣインターフェイス上優先表示領域）を特定する。その後、ステップＳ１００４では、ステップＳ１００３で特定した「ＰＣインターフェイス上優先表示領域」をもとに、テレビ装置のディスプレイ上でＰＣインターフェイス画面を優先表示すべき領域（テレビディスプレイ上優先表示領域）を特定する。
【０１２６】
その後、ステップＳ１００５では、ステップＳ１００４で特定した「テレビディスプレイ上優先表示領域」に、テレビウインドウが存在しているか判断する。
【０１２７】
ステップＳ１００５での判断の結果、前記テレビディスプレイ上優先表示領域にテレビウインドウが存在していない場合には、テレビ装置のディスプレイ上におけるテレビウインドウの大きさなどはそのままの状態で、ステップＳ１００８に進む。そして、ＰｉｎＰ状態が継続されている場合には、ステップＳ１００２に戻り、新たな優先表示情報を取得するのを待つ。以降、前記と同様の処理を繰り返す。
【０１２８】
一方、ステップＳ１００５での判断の結果、前記テレビディスプレイ上優先表示領域にテレビウインドウが存在している場合には、ステップＳ１００７に進み、ステップＳ１００４で特定したテレビディスプレイ上優先表示領域にテレビウインドウが存在しなくなるまで、テレビウインドウの大きさを縮小し、ステップＳ１００８に進む。そして、ＰｉｎＰ状態が継続されている場合には、ステップＳ１００２に戻り、新たな優先表示情報を取得するのを待つ。以降、前記と同様の処理を繰り返す。
<実施形態２の効果>
【０１２９】
本実施形態のテレビ装置、ＰＣ装置、および、テレビ装置とＰＣ装置とからなる表示システムにより、ＰＣインターフェイス画面をテレビ装置のディスプレイに表示し、その上に、テレビ装置がチューナを介して取得したテレビ放送などの映像コンテンツなどを重ねて表示するＰｉｎＰ状態において、ＰＣ装置のインターフェイス画面中におけるユーザが視認を要する領域（アクティブなＰＣウインドウ、アクティブなＰＣウインドウではないがＰＣ作業のために必要な情報を記載したＰＣウインドウ、など）と、映像コンテンツとが、重ならないような表示態様を、ユーザ操作なしに実現することができる。
【０１３０】
その結果、ユーザは、ＰＣ装置を操作中に、テレビ装置を操作してテレビ放送などを表示しているテレビウインドウの大きさを変更するなどという面倒な操作を行う必要がなくなり、ＰＣ装置を利用して行っている作業の効率が落ちる不都合を回避できる。
<<実施形態３>>
<実施形態３の概要>
【０１３１】
本実施形態のテレビ装置とＰＣ装置とからなる表示システムは、実施形態１の一部または全部、または、実施形態２を基本とする。そして、本実施形態のテレビ装置は、図１１（Ａ）（Ｂ）に示すように、ＰＣ装置から受信した優先表示情報を利用して、テレビ放送などの映像コンテンツを表示する子画面（１１０２）の表示を制御する処理として、ＰＣインターフェイス画面（１１０１）を優先表示すべき領域内に子画面（１１０２）を表示しないよう、子画面（１１０２）を部分的に削除する。
【０１３２】
なお、前記構成により実現される処理の流れの一例としては、例えば、図１１（Ａ）に示すようにＰＣインターフェイス画面（１１０１）と子画面（１１０２）とをＰｉｎＰしている状態において、ユーザ操作に基づき、ＰＣインターフェイス画面（１１０１）におけるアクティブなウインドウが変更すると（１１０１Ａから１１０１Ｂに変更）、図８（Ｂ）に示すように、テレビ装置は自動的に、ＰＣ装置のインターフェイス画面（１１０１）を優先表示すべき領域（図の場合、アクティブなウインドウ（１１０１Ｂ）を表示している領域）に子画面（１１０２）を表示しないよう、子画面（１１０２）を部分的に削除する。
<実施形態３の機能的構成>
【０１３３】
本実施形態の表示システムの機能ブロックの一例を図１２に示す。図１２に示すように、本実施形態の「表示システム」（１２００）は、「ＰＣ装置」（１２Ａ００）と「テレビ装置」（１２Ｂ００）とからなる。
【０１３４】
そして、「ＰＣ装置」（１２Ａ００）は、「入力操作受付部」（１２Ａ０１）と、「ＰＣ側画面構成部」（１２Ａ０２）と、「優先表示情報生成部」（１２Ａ０３）と、「送信部」（１２Ａ０４）とを有する。なお、「優先表示情報生成部」（１２Ａ０３）は「アクティブ領域手段」（図示せず）を有してもよい。
【０１３５】
そして、「テレビ装置」（１２Ｂ００）は、「映像コンテンツ出力部」（１２Ｂ０１）と、「受信部」（１２Ｂ０２）と、「テレビ側画面構成部」（１２Ｂ０３）と、「ディスプレイ部」（１２Ｂ０４）とを有し、さらに、「テレビ側画面構成部」（１２Ｂ０３）は「削除手段」を有する。なお、「テレビ側画面構成部」（１２Ｂ０３）は「移動手段」（図示せず）および／または「縮小手段」（図示せず）を有してもよい。
【０１３６】
以下、本実施形態の「表示システム」（１２００）の「テレビ装置」（１２Ｂ００）の機能的構成について詳細に説明する。なお、本実施形態の「表示システム」（１２００）の「ＰＣ装置」（１２Ａ００）の機能的構成については、実施形態１と同様であるので、ここでの詳細な説明は省略する。
<<テレビ装置（１２Ｂ００）>>
【０１３７】
本実施形態のテレビ装置（１２Ｂ００）は、「映像コンテンツ出力部」（１２Ｂ０１）と、「受信部」（１２Ｂ０２）と、「テレビ側画面構成部」（１２Ｂ０３）と、「ディスプレイ部」（１２Ｂ０４）とを有し、「テレビ側画面構成部」（１２Ｂ０３）は「削除手段」を有する。
【０１３８】
以下、「テレビ側画面構成部」（１２Ｂ０３）の「削除手段」の機能的構成について詳細に説明する。なお、「映像コンテンツ出力部」（１２Ｂ０１）、「受信部」（１２Ｂ０２）、「ディスプレイ部」（１２Ｂ０４）の機能的構成については、実施形態１と同様であるので、ここでの詳細な説明は省略する。
【０１３９】
「削除手段」は、受信した優先表示情報で示される領域にテレビウインドウが存在している場合には、テレビウインドウを部分的に削除するよう構成されている。具体的には、削除手段は、受信した優先表示情報を利用してＰＣインターフェイス画面上の優先表示情報で示される領域（「ＰＣインターフェイス上優先表示領域」）を特定すると、テレビ装置（１２Ｂ００）のディスプレイ上において前記「ＰＣインターフェイス上優先表示領域」が表示される領域（「テレビディスプレイ上優先表示領域」）を特定する。そして、「テレビディスプレイ上優先表示領域」に、テレビウインドウが存在しているか判断する。判断の結果、前記特定した領域にテレビウインドウが存在している場合には、図１１（Ａ）→（Ｂ）に示すように、「テレビディスプレイ上優先表示領域」（１１０１Ｂ）にテレビウインドウ（１１０２）が表示されないように、テレビウインドウ（１１０２）を部分的に削除する。かかる表示手段により、あたかも、ＰＣウインドウ（１１０１Ａ、１１０１Ｂ）とテレビウインドウ（１１０２）とが同列にＰＣインターフェイス（１１０１）上に表示され、アクティブなＰＣウインドウ（図１１（Ｂ）中、１１０１Ｂ）がテレビウインドウ（１１０２）よりも上側に表示されているような表示態様を実現できる。
【０１４０】
なお、削除手段は、テレビウインドウで表示中の映像コンテンツの種別に応じて、削除処理を行うか否かを決定してもよい。その詳細な構成については、実施形態２における「縮小手段」においての説明と同様であるので、ここでの詳細な説明は省略する。
【０１４１】
さらに、テレビウインドウで放送コンテンツを表示中に削除手段がテレビウインドウを削除した場合には、それをトリガに、テレビ装置（１１Ｂ００）はその放送コンテンツの録画を開始（テレビ装置に設けられた内部メモリに保存開始、など）するようにしてもよい。
【０１４２】
その他、本実施形態の「テレビ側画面構成部」（１１Ｂ０３）は、前記「削除手段」とともに、実施形態１で説明した「移動手段」および実施形態２で説明した「縮小手段」のいずれか１つ、または両方を有し、前記複数の手段を組み合わせた処理を行ってもよいし、または、状況に応じて前記３つの手段のいずれか１つまたは２つを選択し、選択した処理を組み合わせた処理を行ってもよい。
【０１４３】
例えば、テレビウインドウを部分的に削除または縮小しなくても、テレビ装置（１１Ｂ００）のディスプレイ上においてテレビウインドウを表示可能な領域（ＰＣインターフェイス画面を優先表示すべき領域以外の領域）が存在する場合には「移動手段」を利用する。そして、テレビウインドウを部分的に削除または縮小せずに、テレビ装置（１１Ｂ００）のディスプレイ上においてテレビウインドウを表示可能な領域（ＰＣインターフェイス画面を優先表示すべき領域以外の領域）が存在しない場合で、「縮小手段」を利用してもあらかじめ定められた大きさよりもテレビウインドウを大きく保てる場合には「縮小手段」を利用する。そして、前記状態において「縮小手段」を利用すると、テレビウインドウがあらかじめ定められた大きさよりも小さくなってしまう場合には、「削除手段」を利用するようにしてもよい。
【０１４４】
また、テレビウインドウを他の位置に移動して部分的に削除した方が、そのままの位置で部分的に削除するよりも削除する領域が小さい場合には、「移動手段」と「削除手段」の両方を利用してもよい。その他、テレビウインドウを他の位置に移動して部分的に削除しても、そのままの位置で部分的に削除しても削除する領域がほとんど変わらない場合には、テレビウインドウの中心に近い領域を削除しない表示位置において、テレビウインドウを部分的に削除するようにしてもよい。
<実施形態３のハードウェア構成>
【０１４５】
本実施形態のＰＣ装置およびテレビ装置の上記機能的構成をハードウェアとして実現する構成については、実施形態１に準じて実現できる。よって、ここでの詳細な説明は省略する。
<実施形態３の処理の流れ>
【０１４６】
本実施形態のテレビ装置が、ＰＣインターフェイスとテレビウインドウ（チューナを介して受信したテレビ放送の映像コンテンツなどを表示する領域）を重ねて表示（ＰｉｎＰ）している状態において、ユーザ操作に応じてＰＣインターフェイス画面中で優先表示すべき領域が変化した際に行う処理の流れの一例を図１３のフローチャートを用いて説明する。
【０１４７】
まず、テレビ装置は、ＰＣ装置から受信したＰＣインターフェイス画面の上に、テレビウインドウ（チューナを介して受信したテレビ放送の映像コンテンツなどを表示する領域）を重ねて表示するＰｉｎＰ状態である場合には（Ｓ１３０１）、ステップＳ１３０２に進む。
【０１４８】
ステップＳ１３０２では、テレビ装置のディスプレイ上において、新たな優先表示情報（テレビウインドウに対してＰＣインターフェイス画面を優先表示すべき領域を示す情報）を取得するのを待つ。そして、新たな優先表示情報を取得すると、ステップＳ１３０３に進む。
【０１４９】
ステップＳ１３０３では、ステップＳ１３０２で新たに取得した優先表示情報を利用して、ＰＣインターフェイス画面上で優先表示すべき領域（ＰＣインターフェイス上優先表示領域）を特定する。その後、ステップＳ１３０４では、ステップＳ１３０３で特定した「ＰＣインターフェイス上優先表示領域」をもとに、テレビ装置のディスプレイ上でＰＣインターフェイス画面を優先表示すべき領域（テレビディスプレイ上優先表示領域）を特定する。
【０１５０】
その後、ステップＳ１３０５では、ステップＳ１３０４で特定した「テレビディスプレイ上優先表示領域」に、テレビウインドウが存在しているか判断する。
【０１５１】
ステップＳ１３０５での判断の結果、前記テレビディスプレイ上優先表示領域にテレビウインドウが存在していない場合には、テレビ装置のディスプレイ上におけるテレビウインドウの形状などはそのままの状態で、ステップＳ１３０８に進む。そして、ＰｉｎＰ状態が継続されている場合には、ステップＳ１３０２に戻り、新たな優先表示情報を取得するのを待つ。以降、前記と同様の処理を繰り返す。
【０１５２】
一方、ステップＳ１３０５での判断の結果、前記テレビディスプレイ上優先表示領域にテレビウインドウが存在している場合には、ステップＳ１３０７に進み、ステップＳ１３０４で特定したテレビディスプレイ上優先表示領域にテレビウインドウが存在しなくなるよう、テレビウインドウを部分的に削除し、ステップＳ１３０８に進む。そして、ＰｉｎＰ状態が継続されている場合には、ステップＳ１３０２に戻り、新たな優先表示情報を取得するのを待つ。以降、前記と同様の処理を繰り返す。
<実施形態３の効果>
【０１５３】
本実施形態のテレビ装置、ＰＣ装置、および、テレビ装置とＰＣ装置とからなる表示システムにより、ＰＣインターフェイス画面をテレビ装置のディスプレイに表示し、その上に、テレビ装置がチューナを介して取得したテレビ放送などの映像コンテンツを重ねて表示するＰｉｎＰ状態において、ＰＣ装置のインターフェイス画面中におけるユーザが視認を要する領域（アクティブなＰＣウインドウ、アクティブなＰＣウインドウではないがＰＣ作業のために必要な情報を記載したＰＣウインドウ、など）と、映像コンテンツとが、重ならないような表示態様を、ユーザ操作なしに実現することができる。
【０１５４】
その結果、ユーザは、ＰＣ装置を操作中に、テレビ装置を操作してテレビ放送などを表示しているテレビウインドウの形状を変更するなどという面倒な操作を行う必要がなくなり、ＰＣ装置を利用して行っている作業の効率が落ちる不都合を回避できる。
<<実施形態４>>
<実施形態４の概要>
【０１５５】
本実施形態のテレビ装置とＰＣ装置とからなる表示システムは、実施形態１の一部または全部、または、実施形態２、または、３を基本とする。ここで、本実施形態の表示システムの特徴を説明するための概念図を、図１４に示す。
【０１５６】
本実施形態のＰＣ装置は、ＰＣインターフェイス画面（１４０１：図の場合、テレビ装置のディスプレイに全画面表示）を、テレビ放送などの映像コンテンツ（１４０２）に対して優先表示すべき領域を示す情報として、ＰＣインターフェイス画面（１４０１）上に表示される「入力操作ポインタ」（１４０３）が配置される領域を示す情報を生成し、テレビ装置に対して送信する。
【０１５７】
そして、本実施形態のテレビ装置は、前記優先表示情報を受信すると、受信した優先表示情報を利用して、テレビ装置のディスプレイ上でＰＣインターフェイス画面を優先表示すべき領域を特定すると、前記特定した領域に映像コンテンツ（１４０２）を表示しないよう、映像コンテンツ（１４０２）の表示位置を移動したり、大きさを縮小したり、部分的に削除したりする（図１４の場合は「移動処理」）。
【０１５８】
当該構成により、ユーザは、ＰＣ装置を操作して入力操作ポインタ（１４０３）の位置を変更することで、映像コンテンツ（１４０２）の表示態様（表示位置、など）を変更することが可能となる。
<実施形態４の機能的構成>
【０１５９】
本実施形態の表示システムの機能ブロックの一例を図１５に示す。図１５に示すように、本実施形態の「表示システム」（１５００）は、「ＰＣ装置」（１５Ａ００）と「テレビ装置」（１５Ｂ００）とからなる。
【０１６０】
そして、「ＰＣ装置」（１５Ａ００）は、「入力操作受付部」（１５Ａ０１）と、「ＰＣ側画面構成部」（１５Ａ０２）と、「優先表示情報生成部」（１５Ａ０３）と、「送信部」（１５Ａ０４）を有し、「優先表示情報生成部」（１５Ａ０３）は「ポインタ領域手段」を有する。なお、「優先表示情報生成部」（１５Ａ０３）は「アクティブ領域手段」（図示せず）を有してもよい。
【０１６１】
そして、「テレビ装置」（１５Ｂ００）は、「映像コンテンツ出力部」（１５Ｂ０１）と、「受信部」（１５Ｂ０２）と、「テレビ側画面構成部」（１５Ｂ０３）と、「ディスプレイ部」（１５Ｂ０４）を有する。なお、「テレビ側画面構成部」（１５Ｂ０３）は「移動手段」（図示せず）、「縮小手段」（図示せず）、「削除手段」（図示せず）のいずれか一以上を有してもよい。
【０１６２】
以下、本実施形態の「表示システム」（１５００）の「ＰＣ装置」（１５Ａ００）の機能的構成について詳細に説明する。なお、本実施形態の「表示システム」（１５００）の「テレビ装置」（１５Ｂ００）の機能的構成については実施形態１などと同様であるので、こｋでの詳細な説明は省略する。
<<ＰＣ装置（１５Ａ００）>>
【０１６３】
本実施形態の「ＰＣ装置」（１５Ａ００）は、「入力操作受付部」（１５Ａ０１）と、「ＰＣ側画面構成部」（１５Ａ０２）と、「優先表示情報生成部」（１５Ａ０３）と、「送信部」（１５Ａ０４）を有し、「優先表示情報生成部」（１５Ａ０３）は「ポインタ領域手段」を有する。
【０１６４】
以下、「優先表示情報生成部」（１５Ａ０３）の「ポインタ領域手段」の機能的構成について詳細に説明する。なお、「入力操作受付部」（１５Ａ０１）、「ＰＣ側画面構成部」（１５Ａ０２）、「送信部」（１５Ａ０４）の機能的構成については、実施形態１と同様であるので、ここでの詳細な説明は省略する。
【０１６５】
「ポインタ領域手段」は、受付けた入力操作に応じて、入力操作ポインタの配置されるＰＣインターフェイス画面中の領域を示す情報を優先表示情報として生成するよう構成される。「入力操作ポインタ」は、ＰＣインターフェイス画面上で矢印などとして表示され、マウスなどの操作によりＰＣインターフェイス画面上を移動し、操作対象オブジェクトを特定するためなどに利用される。
【０１６６】
ポインタ領域手段は、ＰＣインターフェイス画面中における入力操作ポインタが配置される位置を特定すると、特定した位置を基に優先表示情報を生成する。なお、「ＰＣインターフェイス画面中における入力操作ポインタが配置される位置を特定」する手段としては、例えば、ＰＣインターフェイス画面にあらかじめ定められた座標軸などを利用して、座標値により特定してもよい。
【０１６７】
なお、ポインタ領域手段は、常時、入力操作ポインタが配置される位置を特定して優先表示情報を生成してもよいし、または、ユーザが特別な操作を行っている時の入力操作ポインタが配置される位置のみを特定して優先表示情報を生成してもよい。「ユーザが特別な操作を行っている時の入力操作ポインタ」とは、例えば、左クリックまたは右クリックを押下した状態を維持している時の入力操作ポインタであってもよいし、または、「Ｓｈｉｆｔキー」、「Ｃｔｒｌキー」などを押下した状態を維持している時の入力操作ポインタであってもよい。
【０１６８】
その他、ポインタ領域手段は、入力操作ポインタが配置されるＰＣインターフェイス画面中の領域を示す優先表示情報とともに、入力操作ポインタがその位置に配置される直前の直線移動方向を示す情報（以下、「移動軌跡情報」という）を生成してもよい。移動軌跡情報の表現手段としては特段制限されず、例えば、ＰＣインターフェイス画面の上側を０°、右側を９０°、下側を１８０°、左側を２７０°と定めて、０°以上３６０°未満の数値により表現してもよい。また、移動軌跡情報を算出する手段としても特段制限されず、例えば、入力操作ポインタが配置された位置の座標値と、入力操作ポインタがその位置に配置される直前の任意の一つの座標値とを利用して算出してもよい。なお、ポインタ領域手段が移動軌跡情報をも生成するよう構成する場合、送信部（１５Ａ０４）は移動軌跡情報をも、ＨＤＭＩ規格のＣＥＣのベンダーコマンドとしてテレビ装置に送信するよう構成してもよい。そして、テレビ装置（１５Ｂ００）の受信部（１５Ｂ０２）は、移動軌跡情報をも受信し、テレビ側画面構成部（１５Ｂ０３）は、移動軌跡情報をも利用して、テレビ側画面を構成してもよい。
【０１６９】
ここで、テレビ側画面構成部（１５Ｂ０３）が、移動軌跡情報をも利用してテレビ側画面を構成する具体例としては、例えば、テレビ側画面構成部（１５Ｂ０３）が「移動手段」を利用する場合には、移動軌跡情報で示される方向にテレビウインドウを移動するようにしてもよい。また、テレビ側画面構成部（１５Ｂ０３）が「縮小手段」を利用する場合には、移動軌跡情報で示される方向に向かってテレビウインドウを縮小するようにしてもよい。
【０１７０】
さらに、テレビウインドウの大きさ、形状を維持したまま、移動軌跡情報で示される方向にテレビウインドウを移動可能な領域（ＰＣインターフェイス画面を優先表示すべき領域以外の領域）がある場合には、「移動手段」を利用して、前記方向にテレビウインドウを移動し、テレビ装置のディスプレイに衝突したり、優先表示情報で特定される領域（アクティブなＰＣウインドウを表示している領域）に衝突したりし、それ以上移動軌跡情報で示される方向にテレビウインドウを移動可能な領域（ＰＣインターフェイス画面を優先表示すべき領域以外の領域）がない場合には、「縮小手段」を利用してテレビウインドウを縮小したり、「削除手段」を利用してテレビウインドウを部分的に削除してもよい。
<実施形態４のハードウェア構成>
【０１７１】
本実施形態のＰＣ装置およびテレビ装置の上記機能的構成をハードウェアとして実現する構成については、実施形態１に準じて実現できる。よって、ここでの詳細な説明は省略する。
<実施形態４の処理の流れ>
【０１７２】
本実施形態のテレビ装置およびＰＣ装置の処理の流れについては、実施形態１〜３などに準じ実現可能であるので、ここでの詳細な説明は省略する。
<実施形態４の効果>
【０１７３】
本実施形態のテレビ装置、ＰＣ装置、および、テレビ装置とＰＣ装置とからなる表示システムにより、ＰＣインターフェイス画面をテレビ装置のディスプレイに表示し、その上に、テレビ装置がチューナを介して取得したテレビ放送などの映像コンテンツを重ねて表示するＰｉｎＰ状態において、ユーザは、ＰＣ装置を操作し、テレビ放送などを表示している映像コンテンツの表示位置、大きさ、形状などを変更することができる。
【０１７４】
その結果、ユーザは、ＰＣ装置を利用しての作業中に、テレビ装置を操作してテレビウインドウの位置、大きさなどを変更し、再びＰＣ装置を利用しての作業を開始するという煩わしい作業を行う必要がなくなり、ＰＣ装置を利用して行っている作業の効率が落ちる不都合を回避できる。
【符号の説明】
【０１７５】
０２００          表示システム
０２Ａ００        ＰＣ装置
０２Ａ０１        入力操作受付部
０２Ａ０２        ＰＣ側画面構成部
０２Ａ０３        優先表示情報生成部
０２Ａ０４        送信部
０２Ｂ００        テレビ装置
０２Ｂ０１        映像コンテンツ出力部
０２Ｂ０２        受信部
０２Ｂ０３        テレビ側画面構成部
０２Ｂ０４        ディスプレイ部
【図１】
2010177848.tif 000003
【図２】
2010177848.tif 000004
【図３Ａ】
2010177848.tif 000005
【図３Ｂ】
2010177848.tif 000006
【図３Ｃ】
2010177848.tif 000007
【図４Ａ】
2010177848.tif 000008
【図４Ｂ】
2010177848.tif 000009
【図５】
2010177848.tif 000010
【図６】
2010177848.tif 000011
【図７】
2010177848.tif 000012
【図８】
2010177848.tif 000013
【図９】
2010177848.tif 000014
【図１０】
2010177848.tif 000015
【図１１】
2010177848.tif 000016
【図１２】
2010177848.tif 000017
【図１３】
2010177848.tif 000018
【図１４】
2010177848.tif 000019
【図１５】
2010177848.tif 000020
【図１６Ａ】
2010177848.tif 000021
【図１６Ｂ】
2010177848.tif 000022
【図１６Ｃ】
2010177848.tif 000023